(57)【要約】【課題】天井、壁面等に対して確実に取り付けられ、自身の脱離、落下等を抑制することができるプロジェクタ及びモニタを提供する。【解決手段】プロジェクタ１の筐体３の底面３２に、ねじ穴４１１，４１１，…が形成されている。各ねじ穴４１１と、プロジェクタ１を天吊りするための取付部材５に形成されているねじ穴５１とが１本のねじ４１２によってねじ留めされる。各ねじ穴４１１にねじ４１２が螺合しているか否かはねじセンサ４１が検出し、ねじ４１２が検出されない場合は、プロジェクタ１のスピーカから所定の音声を出力させることによって、ねじ留めがなされていないことを使用者に報知する。このため、使用者がねじ留めを確実に行なって、プロジェクタ１の取付部材５からの脱離、天井からの落下等を抑制する。【選択図】図４
2008197389.tif 000002
【特許請求の範囲】
【請求項１】
画像を投射する投射手段と、
該投射手段が配されており、また、ねじ穴が形成されている筐体と
を備えるプロジェクタにおいて、
前記ねじ穴に螺合しているねじを検出する検出手段と、
該検出手段が前記ねじを検出していない場合、ねじ留めがなされていないことを報知する報知手段と
を備えることを特徴とするプロジェクタ。
【請求項２】
前記ねじ穴は、前記筐体を外部に取り付けるための取付部材に形成されているねじ穴及び前記取付部材を前記筐体にねじ留めするためのねじに対応するようにしてあることを特徴とする請求項１に記載のプロジェクタ。
【請求項３】
前記投射手段は、画像の投射方向が前記筐体の一面にオフセットした状態で画像を投射するようにしてあり、
前記検出手段が前記ねじ穴に螺合しているねじを検出した場合、前記投射手段が、天地を逆転させた画像を投射することを可能とし、
前記検出手段が前記ねじ穴に螺合しているねじを検出していない場合、前記投射手段が、天地を逆転させた画像を投射しないようにすることを特徴とする請求項２に記載のプロジェクタ。
【請求項４】
前記ねじ穴は、前記一面の逆側の面に形成されていることを特徴とする請求項３に記載のプロジェクタ。
【請求項５】
画像を表示する表示手段と、
該表示手段が配されており、また、ねじ穴が形成されている筐体と
を備えるモニタにおいて、
前記ねじ穴に螺合しているねじを検出する検出手段と、
該検出手段が前記ねじを検出していない場合、ねじ留めがなされていないことを報知する報知手段と
を備えることを特徴とするモニタ。
【発明の詳細な説明】
【技術分野】
【０００１】
本発明は、筐体にねじ穴が形成されているプロジェクタ及びモニタに関する。
【背景技術】
【０００２】
プロジェクタは、壁面、スクリーン等に画像を投射する投射部が筐体の正面に配してあり、筐体の天面を上側、底面を下側にして机上に載置するか、又は、プロジェクタの筐体の天面を下側、底面を上側にし、この底面に固定された取付部材を介して天井から吊り下げて使用される（特許文献１参照）。
以下、プロジェクタを机上に載置して用いることを据置き、プロジェクタを天井から吊り下げて用いることを天吊りという。
【０００３】
また、壁掛け型、吊り下げ型等の液晶表示パネルのようなモニタは、画像を表示する表示画面が筐体の正面に配してあり、筐体の背面に固定された取付部材を介して壁面に取り付けるか、又は天井から吊り下げて使用される（特許文献２参照）。
【０００４】
プロジェクタ及びモニタ夫々の筐体と取付部材とには、対応する複数のねじ穴が形成されており、作業者は、各ねじ穴の組に対してねじを締結することによって、取付部材を筐体に固定する。
【特許文献１】特開２０００−１２２１８０号公報
【特許文献２】特開２００３−２６３１１６号公報
【発明の開示】
【発明が解決しようとする課題】
【０００５】
しかしながら、ねじ留め作業の省略、不備等で、一部のねじ穴に対してねじを締結しないまま、筐体が天井、壁面等に取り付けられることがある。このような状態のまま放置しておくと、プロジェクタ又はモニタの自重によって、筐体の取付部材からの脱離、更には落下が生じ得るため、危険である。
また、全てにねじ穴にねじが螺合されていても、経年劣化、ペットの攀じ登り、地震等によってねじ穴からねじが脱離し、この結果、筐体の取付部材からの脱離、更には落下が生じることが考えられる。
更に、筐体が取付部材から脱離している場合、プロジェクタ又はモニタの姿勢が傾斜することがあり、画像の正常な投射又は表示が阻害される。
【０００６】
本発明は斯かる事情に鑑みてなされたものであり、その主たる目的は、筐体のねじ穴にてねじが検出されない場合、ねじ留めがなされていないことを報知する構成とすることにより、ねじの未締結、脱離等に起因する不具合及び事故の発生を抑制することができるプロジェクタ及びモニタを提供することにある。
【０００７】
本発明の他の目的は、筐体を外部に取り付けるための取付部材を、筐体にねじ留めする構成とすることにより、筐体の取付部材からの脱離、落下等を抑制することができるプロジェクタを提供することにある。
【０００８】
本発明の他の目的は、画像の投射方向が筐体の一面にオフセットした状態で画像を投射し、しかも、筐体のねじ穴に螺合しているねじが検出されない場合、画像を天地逆方向に投射しない構成とすることにより、ねじの未締結、脱離等が生じている状態での強引な使用継続を困難にすることができるプロジェクタを提供することにある。
【０００９】
本発明の更に他の目的は、筐体の他面にねじ穴が形成されていることにより、美観を向上させることができるプロジェクタを提供することにある。
【課題を解決するための手段】
【００１０】
本発明に係るプロジェクタは、画像を投射する投射手段と、該投射手段が配されており、また、ねじ穴が形成されている筐体とを備えるプロジェクタにおいて、前記ねじ穴に螺合しているねじを検出する検出手段と、該検出手段が前記ねじを検出していない場合、ねじ留めがなされていないことを報知する報知手段とを備えることを特徴とする。
【００１１】
本発明に係るプロジェクタは、前記ねじ穴は、前記筐体を外部に取り付けるための取付部材に形成されているねじ穴及び前記取付部材を前記筐体にねじ留めするためのねじに対応するようにしてあることを特徴とする。
【００１２】
本発明に係るプロジェクタは、前記投射手段は、画像の投射方向が前記筐体の一面にオフセットした状態で画像を投射するようにしてあり、前記検出手段が前記ねじ穴に螺合しているねじを検出した場合、前記投射手段が、天地を逆転させた画像を投射することを可能とし、前記検出手段が前記ねじ穴に螺合しているねじを検出していない場合、前記投射手段が、天地を逆転させた画像を投射しないようにすることを特徴とする。
【００１３】
本発明に係るプロジェクタは、前記ねじ穴は、前記一面の逆側の面に形成されていることを特徴とする。
【００１４】
本発明に係るモニタは、画像を表示する表示手段と、該表示手段が配されており、また、ねじ穴が形成されている筐体とを備えるモニタにおいて、前記ねじ穴に螺合しているねじを検出する検出手段と、該検出手段が前記ねじを検出していない場合、ねじ留めがなされていないことを報知する報知手段とを備えることを特徴とする。
【００１５】
本発明にあっては、検出手段が、筐体に形成されているねじ穴に螺合しているねじを検出し、このねじを検出していない場合、報知手段が、ねじ留めがなされていないことをプロジェクタの使用者、ねじを締結する作業者等に報知する。つまり、検出手段によって、ねじ穴に対するねじの閉め忘れ、脱離等が検出され、報知手段によって、ねじの閉め忘れ、脱離等が使用者、作業者等に報知される。
【００１６】
ねじ留めがなされていないことを報知された場合、使用者、作業者等はねじの締め忘れ、脱離等を認識して、締め忘れたねじ、脱離したねじ等を筐体のねじ穴に対して確実に締結する。
逆に、ねじ留めがなされていないことを報知されていない場合、即ち、ねじ穴に対してねじが確実に締結されている場合、使用者、作業者等は、筐体のねじ穴にねじが締結されているか否かを確認する必要がない。
この結果、投射手段は、ねじ穴に対してねじが確実に締結されている筐体に配されて、画像を投射する。
【００１７】
本発明にあっては、筐体を外部に取り付けるための取付部材に形成されているねじ穴及びこの取付部材を筐体にねじ留めするためのねじに対応するねじ穴、即ち、取付部材の筐体に対する固定に係るねじ穴に螺合しているねじを検出し、このねじを検出していない場合、ねじ留めがなされていないことをプロジェクタの使用者、ねじを締結する作業者等に報知する。
つまり、取付部材の筐体に対する固定に係るねじ穴に対するねじの閉め忘れ、脱離等が検出されて、使用者、作業者等に報知され、報知された使用者、作業者等が、締め忘れたねじ、脱離したねじ等を筐体のねじ穴に対して確実に締結する。このため、筐体に取付部材が確実に固定される。
【００１８】
本発明にあっては、画像を投射すべき壁面、スクリーン等の高さよりも低い位置にプロジェクタを載置（例えば据置き）して、壁面、スクリーン等に正常な画像を投射するために、プロジェクタの投射手段は、画像の投射方向が筐体の一面（通常は天面）にオフセットした状態で画像を投射する。
逆に、画像を投射すべき壁面、スクリーン等の高さよりも高い位置にプロジェクタを載置（例えば天吊り）して、壁面、スクリーン等に正常な画像を投射するためには、筐体を天地逆転させて配し、更に、天地を逆転させた画像を投射する必要がある。
【００１９】
検出手段がねじ穴に螺合しているねじを検出している場合は、筐体に天吊り用の取付部材が確実に固定されているため、投射手段が、天地を逆転させた画像を投射することを可能とする。この結果、天吊り状態でも、壁面、スクリーン等に正常な画像が投射される。
一方、このねじを検出していない場合は、筐体と取付部材との確実な固定がなされていないため、投射手段が、天地を逆転させた画像を投射しないようにする。この結果、天吊り状態では、壁面、スクリーン等に正常な画像が投射されない。
【００２０】
ところで、ねじ穴のねじを検出していない場合でも、据置き状態でプロジェクタを使用する場合は、取付部材の固定が不安定でも問題はないため、壁面、スクリーン等に画像が正常に投射される。
【００２１】
本発明にあっては、プロジェクタを据置き状態で用いる場合、筐体の一面を上側に、この一面の逆側の面（以下、他面という）を下側（即ちプロジェクタが載置される机側）にし、天吊り状態で用いる場合は、筐体の一面を下側に、他面を上側（即ちプロジェクタが取り付けられる天井側）にするため、筐体の他面に形成されているねじ穴が、使用者、作業者等に視認されることが抑制される。
【００２２】
本発明にあっては、検出手段が、筐体に形成されているねじ穴に螺合しているねじを検出し、このねじを検出していない場合、報知手段が、ねじ留めがなされていないことをモニタの使用者、ねじを締結する作業者等に報知する。つまり、検出手段によって、ねじ穴に対するねじの閉め忘れ、脱離等が検出され、報知手段によって、ねじの閉め忘れ、脱離等が使用者、作業者等に報知される。
【００２３】
ねじ留めがなされていないことを報知された場合、使用者、作業者等はねじの締め忘れ、脱離等を認識して、締め忘れたねじ、脱離したねじ等を筐体のねじ穴に対して確実に締結する。
逆に、ねじ留めがなされていないことを報知されていない場合、即ち、ねじ穴に対してねじが確実に締結されている場合、使用者、作業者等は、筐体のねじ穴にねじが締結されているか否かを確認する必要がない。
以上の結果、表示手段は、ねじ穴に対してねじが確実に締結されている筐体に配されて、画像を表示する。
【発明の効果】
【００２４】
本発明のプロジェクタ及びモニタによる場合、筐体のねじ穴に対するねじの未締結、脱離等を検出して、使用者、作業者等に報知することができるため、ねじの未締結、脱離等に起因する不具合及び事故の発生を抑制することができる。このため、プロジェクタ及びモニタ夫々を正常かつ安全に使用することができる。
しかも、使用者、作業者等がねじ留めの状態を自ら確認する必要がないため、使用者、作業者等の利便性を向上させることができる。
更に、筐体に他部材を固定するためのねじ穴、筐体の本体に蓋部材を固定するためのねじ穴等、どのようなねじ穴であっても、検出手段を備えることによって、本発明の効果を奏することができる。
【００２５】
本発明のプロジェクタによる場合、ねじ留め作業の省略、不備等によって、一部のねじ穴に対してねじを締結しないまま、筐体を天井、壁面等に取り付けたとしても、又は、経年劣化、ペットの攀じ登り、地震等によってねじ穴からねじが脱離したとしても、筐体のねじ穴に対するねじの未締結、脱離等を検出して、使用者、作業者等に報知することができる。
【００２６】
このため、使用者、作業者等が確実にねじ留めすることができ、この結果、筐体の取付部材からの脱離、延いては落下を抑制して、プロジェクタの安全性を向上させることができる。
更には、筐体が取付部材から脱離することによるプロジェクタの姿勢の傾斜を抑制することができるため、スクリーン、壁面等に対して画像を正常に投射することができる。
【００２７】
本発明のプロジェクタによる場合、ねじの未締結、脱離等が生じており、筐体に天吊り用の取付部材が正常に固定されていないときに、強引にプロジェクタを使用しても、壁面、スクリーン等に画像が正常に投射されないようにすることができる。このため、使用者、作業者等に対して、筐体に対する取付部材の確実な固定を促すことができる。
一方、ねじの未締結、脱離等が生じていても、据置き状態でプロジェクタを使用する場合、即ち、安全性に問題がない場合は、壁面、スクリーン等に画像が正常に投射されるため、不要なねじ締め作業を使用者、作業者等に強要して、使用者、作業者等の利便性が低下することを抑制することができる。
【００２８】
本発明のプロジェクタによる場合、筐体の目立たない部分にねじ穴が形成されているため、プロジェクタの美観を向上させることができる。
【発明を実施するための最良の形態】
【００２９】
以下、本発明を、その実施の形態を示す図面に基づいて詳述する。
【００３０】
実施の形態  １．
図１は、本発明の実施の形態１に係るプロジェクタ１の要部構成を示すブロック図である。また、図２は、プロジェクタ１の据置き状態の外観を示す側面図であり、図３は、プロジェクタ１の天吊り状態の外観を示す斜視図である。
図４は、プロジェクタ１の底面３２に対する取付部材５の固定手順を説明する斜視図である。また、図５は、プロジェクタ１が備える検出手段としてのねじセンサ４１の構成を示す模式図である。
【００３１】
図２〜図４に示すように、プロジェクタ１は、互いに略平行な天面３１及び底面３２を有する直方体状の筐体３を備える。
筐体３の内部には、図１〜図４に示すようなＣＰＵ１０、ＲＯＭ１１、ＲＡＭ１２、画像処理部１４、ねじセンサ４１，４１，…、及び投射部１５のランプ、ライトバルブ１５０等が収容されており、また、筐体３の正面３０に投射部１５のレンズが配され、天面３１に操作部１６が配され、筐体３の背面にＩ／Ｆ部１３及びスピーカ１７が配されている。
【００３２】
なお、夫々図示はしないが、プロジェクタ１は、電源がオンになると点灯するＬＥＤ、投射部１５のランプを冷却するための送風ファン、プロジェクタ１のリモートコントローラが送信する操作信号を受信する受信部、プロジェクタ１の作動状態を表示する表示部等も備えている。
【００３３】
図１に示すＣＰＵ１０はプロジェクタ１の制御中枢であり、ＲＡＭ１２を作業領域として用い、ＲＯＭ１１に記憶されたコンピュータプログラム、データ等に従ってプロジェクタ１各部を制御し、各種処理を実行する。
Ｉ／Ｆ部１３は、プロジェクタ１と外部の画像処理装置（例えばパーソナルコンピュータ、又はデジタルカメラ）とのインタフェースであり、Ｉ／Ｆ部１３を介して外部から入力された画像データは、画像処理部１４にて適宜の画像処理を施された後、投射部１５のライトバルブ１５０に与えられる。また、Ｉ／Ｆ部１３を介して外部から入力された音声データは、図示しない音声処理部にて適宜の音声処理を施された後、スピーカ１７に与えられる。
【００３４】
投射部１５は、レンズ、ライトバルブ１５０、ランプ等を用いてなり、画像処理部１４から与えられた画像データに基づく画像を、壁面Ｗに配されているスクリーンＳへ投射する。
操作部１６は、プロジェクタ１の電源をオン／オフするための電源キー、プロジェクタ１のモードの切り替え、投射部１５が投射する画像の補正、輝度の調整等を行なうための各種ファンクションキー等を備える。
スピーカ１７は、与えられた音声データに基づく音声を出力する。
【００３５】
図２に示すように、据置き状態で使用されるプロジェクタ１は、スクリーンＳに対向配置されている机Ｄの略水平な上面に、筐体３の天面３１を上側にし、底面３２を下側にし、投射部１５をスクリーンＳ側にして載置される。ここで、据置き状態のプロジェクタ１の投射部１５のレンズ中心位置の高さは、スクリーンＳ中央部の高さよりも低い。
そして投射部１５は、画像の投射方向が天面３１側にオフセットした状態で、スクリーンＳに画像を投射する。更に詳細には、投射部１５は、セット水平面Ｆに対して上側に画像が投射されるように、レンズがオフセット取り付けされている。
【００３６】
また、図３に示すように、天吊り状態で使用されるプロジェクタ１は、筐体３の天面３１を下側にし、底面３２を上側にし、投射部１５をスクリーンＳ側にして、天井Ｃに突設されている取付アームＡの下端部に、底面３２に固定された取付部材５を介して取り付けられる。ここで、天吊り状態のプロジェクタ１の投射部１５のレンズ中心位置の高さは、スクリーンＳ中央部の高さよりも高い。
更に、天井Ｃと底面３２との間にワイヤロープＲ，Ｒ，…が張架されている。ワイヤロープＲ，Ｒ，…は、プロジェクタ１の揺れを抑制し、プロジェクタ１の安定した天吊りを補助している。
【００３７】
図４及び図５に示すように、筐体３には、底面３２を貫通して複数のねじ穴４１１，４１１，…が形成されている。各ねじ穴４１１は、取付部材５に形成されているねじ穴５１、及び取付部材５を筐体３にねじ留めするための金属ねじ４１２に対応する。即ち、各ねじ穴４１１と、このねじ穴４１１に対応するねじ穴５１とを対向配置して、金属ねじ４１２をねじ穴４１１，５１に螺合させることによって、取付部材５を筐体３にねじ留め固定する。
ここで、工場出荷時、又は据置き状態で使用するとき等、筐体３に取付部材５を固定しない場合は、ねじ穴４１１に対するゴミの付着、筐体３内部へのゴミの侵入等を抑制するために、使用者、作業者等は、各ねじ穴４１１に、合成樹脂を用いてなる図示しないダミーねじを螺合させておく。
【００３８】
取付部材５を筐体３に固定する場合、使用者、作業者等は、ねじ穴４１１，４１１，…に螺合しているダミーねじを全て取り除いてから、金属ねじ４１２，４１２，…を用いて取付部材５を筐体３に固定する。
仮に、ダミーねじを外していない場合、ダミーねじのねじ頭と取付部材５とが当接して取付部材５が底面３２から浮き上がるため、取付部材５を正確に固定することができない。
【００３９】
取付部材５と筐体３とを強固に固定すべく、底面３２は、正面３０、天面３１等に比べて高い強度を有する。逆に、正面３０、天面３１等に取付部材５を取り付ける必要がないため、これらの面の強度は低くてもよい。また、底面３２は、据置き状態でも天吊り状態でもプロジェクタ１の使用者に視認され難いため、ねじ穴４１１、金属ねじ４１２等が目立つことなく、プロジェクタ１の美観が向上される。
【００４０】
ところで、筐体３内部には、各ねじ穴４１１に一対一対応で、ねじセンサ４１が配されている（図４中には１個だけ図示）。
ねじセンサ４１はプッシュスイッチ式のセンサであり、図示しないバネを内蔵するセンサ本体４１ａと、このバネに付勢されてセンサ本体４１ａから突出している突出部４１ｂとを備える。
【００４１】
ねじ穴４１１に金属ねじ４１２（又はダミーねじ）を正しく螺合させた場合、金属ねじ４１２のねじ軸の先端部（図５中の下端部）とねじセンサ４１の突出部４１ｂの先端部とが当接して、突出部４１ｂがセンサ本体４１ａ内へ押し込まれる（図５中、突出部４１ｂを実線で図示している状態）。
このとき、ねじセンサ４１はオンになり、ねじ穴４１１に螺合しているねじを検出したことを示すねじ検出信号をＣＰＵ１０へ出力する。このねじ検出信号の出力は、ねじ穴４１１に螺合しているねじが検出されている間は継続して出力される。
【００４２】
一方、ねじ穴４１１に金属ねじ４１２（及びダミーねじ）が正しく螺合していない場合、即ち、金属ねじ４１２（及びダミーねじ）が完全に脱離している場合、又は金属ねじ４１２（及びダミーねじ）が緩んでねじ軸のねじ穴４１１への挿入量が少ない場合は、センサ本体４１ａのバネに付勢されて突出部４１ｂが突出する（図５中、突出部４１ｂを二点鎖線で図示している状態）。
このとき、ねじセンサ４１はオフになり、ねじ穴４１１に螺合しているねじを検出したことを示すねじ検出信号の出力を停止し、ねじ穴４１１に螺合しているねじが検出されるまで、ねじ検出信号を出力しない。
【００４３】
プロジェクタ１を天吊り状態で使用する場合、使用者は、操作部１６又は図示しないコントローラを操作して、プロジェクタ１を天吊りモードに設定する。
プロジェクタ１は、天吊りモードの設定を受け付け、天吊りモードに設定されたプロジェクタ１は、天地を逆転させた画像を投射すべく画像処理部１４にて画像データを画像処理（以下、画像逆転処理という）する。このとき、スクリーンＳに映し出される画像は正常な画像であり、仮に、天吊り状態にあっても画像処理部１４にて画像逆転処理を実行しなければ、スクリーンＳに映し出される画像は天地が逆転した画像となる。
【００４４】
図６は、プロジェクタ１のＣＰＵ１０が実行するねじ検出処理の手順を示すフローチャートである。
ＣＰＵ１０は、全てのねじセンサ４１，４１，…からねじ検出信号が入力されているか否かを判定する(Ｓ１１)。
【００４５】
１個以上のねじセンサ４１からねじ検出信号が入力されていない場合（Ｓ１１でＮＯ）、ＣＰＵ１０はスピーカ１７を制御して、ねじ留めがなされていないことを報知する報知音声を出力させる（Ｓ１２）。この報知音声は、ブザー音、所定のメロディ、ねじ留めがなされていないことを使用者、作業者等に告げるメッセージ等であり、報知音声の音声データは、予めＲＯＭ１１に記憶してある。具体的には、ＣＰＵ１０は、Ｓ１１でねじ検出信号が入力されていないと判定した場合に、ＲＯＭ１１から報知音声の音声データを読み込んでスピーカ１７に与え、スピーカ１７は、与えられた音声データに基づく音声を出力する。
【００４６】
ここで、ブザー音、メロディ等の報知音声の出力は、所定時間だけ継続して終了し、メッセージのような報知音声の出力は、所定回数だけ反復して終了する。
なお、Ｓ１１でＹＥＳと判定されるまで（即ち全てのねじ穴４１１，４１１，…に対するねじ留めがなされるまで）、報知音声が出力され続ける構成でもよい。
【００４７】
Ｓ１２の処理終了後、ＣＰＵ１０は、ねじなしフラグＦを“１”にセットして（Ｓ１３）、処理をＳ１１へ戻す。
一方、全てのねじセンサ４１，４１，…からねじ検出信号が入力されている場合（Ｓ１１でＹＥＳ）、ＣＰＵ１０は、ねじなしフラグＦを“０”にリセットして（Ｓ１４）、処理をＳ１１へ戻す。
【００４８】
このようなねじ検出処理は、プロジェクタ１の電源がオンにされている間、適宜のタイミングで、繰り返し実行される。
このため、取付部材５を筐体３に取り付けた直後に金属ねじ４１２，４１２，…の閉め忘れ、脱離等が生じていた場合のみならず、取付部材５を筐体３に取り付けた状態で経年劣化、地震等で金属ねじ４１２，４１２，…の緩み、脱離等が生じた場合にも、Ｓ１２にて、報知音声が出力される。
【００４９】
Ｓ１３の処理の結果としてプロジェクタ１のスピーカ１７から出力された報知音声を聞いた使用者、作業者等は、ねじ穴４１１，４１１，…に対する金属ねじ４１２，４１２，…の閉め忘れ、脱離等が生じていることを知り、筐体３を調査して、全てのねじ穴４１１，４１１，…に金属ねじ４１２，４１２，…（又はダミーねじ）を螺合させる。
【００５０】
全てのねじ穴４１１，４１１，…に金属ねじ４１２，４１２，…（又はダミーねじ）が螺合されている場合は、報知音声が出力されないため、使用者、作業者等は、全てのねじ穴４１１，４１１，…に金属ねじ４１２，４１２，…（又はダミーねじ）が確実に螺合していることを、自ら確認することなしに認識する。
なお、誤検出を防止するため、Ｓ１１でＮＯ（又はＹＥＳ）と判定されてから所定時間が経過した後にもＳ１１の判定結果がＮＯ（又はＹＥＳ）である場合にＳ１２及びＳ１３（又はＳ１４）の処理を実行する構成でもよい。
【００５１】
図７は、プロジェクタ１のＣＰＵ１０が実行する画像投射処理の手順を示すフローチャートである。
ＣＰＵ１０は、ねじなしフラグＦがセットされているか否かを判定し（Ｓ３１）、ねじなしフラグＦがセットされている場合（Ｓ３１でＹＥＳ）、プロジェクタ１が天吊りモードであるか否かを判定する（Ｓ３２）。
【００５２】
プロジェクタ１が天吊りモードではない場合（Ｓ３２でＮＯ）、ＣＰＵ１０は、操作部１６及び図示しないコントローラからの天吊りモードの設定の受け付けを禁止する（Ｓ３３）。Ｓ３３の処理の結果、天吊りモードの設定が禁止されていることが音声、表示等で報知され、操作部１６又は図示しないコントローラから天吊りモードの設定が入力されても、ＣＰＵ１０は設定の入力を無視する。
そしてＣＰＵ１０は、投射部１５を制御して、画像を投射させる（Ｓ３４）。
【００５３】
ねじなしフラグＦがセットされていない場合（Ｓ３１でＮＯ）、プロジェクタ１は天吊りモードの設定を受け付け（Ｓ３５）、操作部１６又は図示しないコントローラから天吊りモードの設定が入力されたか否かを判定して（Ｓ３６）、入力されていない場合は（Ｓ３６でＮＯ）、処理をＳ３４へ移す。
【００５４】
天吊りモードの設定が入力された場合（Ｓ３６でＹＥＳ）、ＣＰＵ１０はプロジェクタ１を天吊りモードに移行して（Ｓ３７）、画像処理部１４にて画像逆転処理を実行し（Ｓ３８）、処理をＳ３４へ移す。
天吊りモードに移行した場合、例えば、天吊りモードであることが音声、表示等で報知される。
プロジェクタ１が天吊りモードである場合（Ｓ３２でＹＥＳ）、即ちＳ３７で天吊りモードに移行した後である場合、Ｓ３８にて画像逆転処理が実行されているため、ＣＰＵ１０は、画像処理部１４における画像逆転処理の実行を停止し（Ｓ３９）、天吊りモードを解除してから（Ｓ４０）、処理をＳ３３へ移行する。
【００５５】
Ｓ３８の処理実行後、Ｓ３４の処理の実行によって、投射部１５からは天地が順方向の画像が出力される。このため、天吊り状態で、スクリーンＳに正常な画像が映し出される。
Ｓ３３の処理完了後、又はＳ３６でＮＯの場合、Ｓ３４の処理の実行によって、投射部１５からは天地が順方向の画像が出力される。このため、据置き状態ではスクリーンＳに正常な画像が映し出され、天吊り状態ではスクリーンＳに天地逆転した画像が映し出される。
【００５６】
Ｓ３４の処理完了後、ＣＰＵ１０は処理をＳ３１へ戻して、ねじなしフラグＦの変化を監視する。このため、例えば天吊り状態で画像の投射中に金属ねじ４１２が緩んで脱落しても、Ｓ１２の処理の結果、報知音声が出力され、Ｓ３９の処理の結果、スクリーンＳに映し出される画像が異常をきたすため、金属ねじ４１２が脱落した危険な状態でプロジェクタ１の使用を継続することが困難になる。
ただし、据置き状態にあっては、Ｓ１２の処理で報知音声が出力されるだけで、スクリーンＳに映し出される画像は正常であるため、例えば、画像の投射の終了まで、プロジェクタ１の使用を継続することが可能である。
【００５７】
以上のようなプロジェクタ１は、天吊り状態で使用する際に、取付部材５と筐体３とが確実に固定されるように、金属ねじ４１２の締め忘れ、脱離等を使用者、作業者等に音声、画像の異常な投射等によって報知し、金属ねじ４１２の確実な締結を促す。
この場合、スピーカ１７から報知音声を出力する構成であるため、例えばプロジェクタ１の電源をオンした後、投射部１５から画像を投射する前に、ねじ締めの不備を報知することが可能である。
【００５８】
なお、本実施の形態では、底面３２にねじ穴４１１，４１１，…が形成されているが、これに限らず、例えば筐体３の左右両側面に形成されていてもよい。
また、スピーカ１７からの報知音声を出力する構成に限らず、ＣＰＵ１０がＬＥＤを制御して点滅、消灯させることによって、又は、投射される画像に所定のメッセージを含ませることによって、ねじ留めがなされていないことを報知する構成でもよい。
更に、ＣＰＵ１０の制御を介さず、ねじセンサ４１にＬＥＤを直結させて、ねじセンサ４１のオン／オフでＬＥＤを点灯／消灯させる構成でもよい。
【００５９】
ところで、プロジェクタ１のように筐体３の天地を逆転させた状態で天吊りすることなく、筐体３の天地を逆転させない通常の状態で天吊りする機種のプロジェクタに関しては、画像処理部１４における画像逆転処理は不要である。しかしながら、このようなプロジェクタのねじ穴４１１，４１１，…にもねじセンサ４１，４１，…を配して、金属ねじ４１２が検出されない場合は使用者、作業者等に報知することが好ましい。
【００６０】
実施の形態  ２．
図８は、本発明の実施の形態２に係るプロジェクタが備える検出手段としてのねじセンサ４２の構成を示す模式図である。
本実施の形態におけるプロジェクタは、実施の形態１のプロジェクタ１が備えるねじセンサ４１の代わりに、ねじセンサ４２を備える。
その他、実施の形態１に対応する部分には同一符号を付してそれらの説明を省略する。
【００６１】
ねじセンサ４２は、筐体３内部に、各ねじ穴４１１に一対一対応で配されている。
ねじセンサ４２はレバースイッチ式のセンサであり、図示しないバネを内蔵するセンサ本体４２ａと、レバー４２ｂとを備える。レバー４２ｂの基端部には、センサ本体４２ａ内でバネが取り付けられており、先端部がセンサ本体４２ａから突出して、基端部を中心に、図中矢符方向に回動可能にしてある。
【００６２】
ねじ穴４１１に金属ねじ４１２（又はダミーねじ）を正しく螺合させた場合、金属ねじ４１２のねじ軸の先端部（図８中の下端部）とねじセンサ４２のレバー４２ｂの先端部とが当接して、レバー４２ｂが回動する（図８中、レバー４２ｂを実線で図示している状態）。
このとき、ねじセンサ４２はオンになり、ねじ穴４１１に螺合しているねじを検出したことを示すねじ検出信号をＣＰＵ１０へ出力する。このねじ検出信号の出力は、ねじ穴４１１に螺合しているねじが検出されている間は継続して出力される。
【００６３】
一方、ねじ穴４１１に金属ねじ４１２（及びダミーねじ）が正しく螺合していない場合、センサ本体４２ａのバネに付勢されてレバー４２ｂが中立位置に戻る（図８中、レバー４２ｂを二点鎖線で図示している状態）。
このとき、ねじセンサ４２はオフになり、ねじ穴４１１に螺合しているねじを検出したことを示すねじ検出信号の出力を停止し、ねじ穴４１１に螺合しているねじが検出されるまで、ねじ検出信号を出力しない。
【００６４】
以上のようなプロジェクタも、実施の形態１のプロジェクタ１と同様、天吊り状態で使用する際に、取付部材５と筐体３とが確実に固定されるように、金属ねじ４１２の締め忘れ、脱離等を使用者、作業者等に音声、画像の異常な投射等によって報知し、金属ねじ４１２の確実な締結を促す。
【００６５】
実施の形態  ３．
図９は、本発明の実施の形態３に係るモニタ２の要部構成を示すブロック図であり、図１０は、モニタ２が備える検出手段としてのねじセンサ４３の構成を示す模式図である。
モニタ２は筐体６を備え、筐体６には、ＣＰＵ２０、ＲＯＭ２１、ＲＡＭ２２、Ｉ／Ｆ部２３、画像処理部２４、表示部２５、操作部２６、スピーカ２７及びねじセンサ４３，４３，…が配されている。
ＣＰＵ２０はモニタ２の制御中枢であり、ＲＡＭ２２を作業領域として用い、ＲＯＭ２１に記憶されたコンピュータプログラム、データ等に従ってモニタ２各部を制御し、各種処理を実行する。
【００６６】
Ｉ／Ｆ部２３は、モニタ２とパーソナルコンピュータ、テレビチューナ等とのインタフェースであり、Ｉ／Ｆ部２３を介して外部から入力された画像データは、画像処理部２４にて適宜の画像処理を施された後、表示部２５に与えられる。また、Ｉ／Ｆ部２３を介して外部から入力された音声データは、図示しない音声処理部にて適宜の音声処理を施された後、スピーカ２７に与えられる。
【００６７】
表示部２５は、画像処理部２４から与えられた画像データに基づく画像を表示する。
操作部２６は、モニタ２の電源をオン／オフするための電源キー、表示部２５が表示する画像の補正、輝度の調整等を行なうための各種ファンクションキー等を備える。
スピーカ２７は、与えられた音声データに基づく音声を出力する。
【００６８】
壁掛け状態で使用されるモニタ２は、取付部材５０を介して壁面に取り付けられる。
このために、筐体６には、複数のねじ穴４３１，４３１，…が形成されている。各ねじ穴４３１は、取付部材５０に形成されているねじ穴５２及び取付部材５０を筐体６にねじ留めするための金属ねじ４３２に対応する。即ち、各ねじ穴４３１と、このねじ穴４３１に対応するねじ穴５２とを対向配置して、金属ねじ４３２をねじ穴４３１，５２に螺合させることによって、取付部材５０を筐体６にねじ留め固定する。
【００６９】
ところで、筐体６内部には、各ねじ穴４３１に一対一対応で、ねじセンサ４３が配されている。
ねじセンサ４３はフォトインタラプタを用いてなり、発光素子４３ａと受光素子４３ｂとを備え、発光素子４３ａと受光素子４３ｂとの間に、ねじ穴４３１に正しく螺合している金属ねじ４３２の先端部（図１０中の下端部）が配されるようにしてある。
【００７０】
ねじ穴４３１に金属ねじ４３２を正しく螺合させた場合、金属ねじ４３２のねじ軸の先端部が発光素子４３ａから受光素子４３ｂへの光路を遮光するため、発光素子４３ａが発光した光Ｌを受光素子４３ｂが受光しない（図１０中、発光素子４３ａが発光した光Ｌを実線で図示している状態）。
このとき、ねじセンサ４３はオフになる。
一方、ねじ穴４３１に金属ねじ４３２が正しく螺合していない場合、発光素子４３ａが発光した光Ｌを受光素子４３ｂが受光する。（図１０中、発光素子４３ａが発光した光Ｌを二点鎖線で図示している状態）。
このとき、ねじセンサ４３はオンになる。
【００７１】
ＣＰＵ２０は、全てのねじセンサ４３，４３，…がオフであるか否かを判定する。
１個以上のねじセンサ４３がオンになっている場合、ＣＰＵ２０は表示部２５を制御して、ねじ留めがなされていないことを報知するメッセージを表示させる。
一方、全てのねじセンサ４３，４３，…がオフである場合、ＣＰＵ２０は、ねじセンサ４３，４３，…の監視を継続する。
【００７２】
以上のようなモニタ２は、壁掛け状態で使用する際に、取付部材５０と筐体６とが確実に固定されるように、金属ねじ４３２の締め忘れ、脱離等を使用者、作業者等に報知し、金属ねじ４３２の確実な締結を促す。
なお、スピーカ２７から報知音声を出力させる構成、所定のＬＥＤを点滅、消灯させる構成等でもよい。
【００７３】
また、実施の形態１，２のねじセンサ４１，４２を実施の形態３のモニタ２に備えてもよく、逆に、実施の形態３のねじセンサ４３を実施の形態１のプロジェクタ１又は実施の形態２のプロジェクタに備えてもよい。
更にまた、実施の形態１〜３のねじセンサ４１〜４３は、このような構成に限定されるものではなく、例えば、ねじの有無による電気抵抗値の変化でねじの有無を検出する構成でもよい。
また、ねじ穴４１１，４１１，…又はねじ穴４３１，４３１，…の全部にねじセンサ４１〜４３を配さなくてもよい。
【図面の簡単な説明】
【００７４】
【図１】本発明の実施の形態１に係るプロジェクタの要部構成を示すブロック図である。
【図２】本発明の実施の形態１に係るプロジェクタの据置き状態の外観を示す側面図である。
【図３】本発明の実施の形態１に係るプロジェクタの天吊り状態の外観を示す斜視図である。
【図４】本発明の実施の形態１に係るプロジェクタの底面に対する取付部材の固定手順を説明する斜視図である。
【図５】本発明の実施の形態１に係るプロジェクタが備える検出手段としてのねじセンサの構成を示す模式図である。
【図６】本発明の実施の形態１に係るプロジェクタのＣＰＵが実行するねじ検出処理の手順を示すフローチャートである。
【図７】本発明の実施の形態１に係るプロジェクタのＣＰＵが実行する画像投射処理の手順を示すフローチャートである。
【図８】本発明の実施の形態２に係るプロジェクタが備える検出手段としてのねじセンサの構成を示す模式図である。
【図９】本発明の実施の形態３に係るモニタの要部構成を示すブロック図である。
【図１０】本発明の実施の形態３に係るモニタが備える検出手段としてのねじセンサの構成を示す模式図である。
【符号の説明】
【００７５】
１    プロジェクタ
１０  ＣＰＵ
１５  投射部（投射手段）
１７  スピーカ（報知手段）
２    モニタ
２０  ＣＰＵ
２５  表示部（表示手段，報知手段）
３，６  筐体
３１  天面（一面）
３２  底面（逆側の面）
４１，４２，４３  ねじセンサ（検出手段）
４１１，４３１  ねじ穴
４１２，４３２  金属ねじ（ねじ）
５，５０  取付部材
５１，５２  ねじ穴
【図１】
2008197389.tif 000003
【図２】
2008197389.tif 000004
【図３】
2008197389.tif 000005
【図４】
2008197389.tif 000006
【図５】
2008197389.tif 000007
【図６】
2008197389.tif 000008
【図７】
2008197389.tif 000009
【図８】
2008197389.tif 000010
【図９】
2008197389.tif 000011
【図１０】
2008197389.tif 000012